(57)【特許請求の範囲】
【請求項１】
宅外から宅内に引き込まれた第１の光ファイバー（１1）および前記宅内に配線された第２の光ファイバー（１2）の接続部と、該第１および第２の光ファイバーの余長部とを収容するための直立させた光接続箱（１０）であって、
上面が開口された直方体形状の光接続箱本体（１１）と、
該光接続箱本体の底面に取り付けられた、かつ、前記第１および第２の光ファイバーの余長部を楕円状に巻き付けて収容するための第１乃至第６のケーブルガイド（１２1〜１２6）と、
前記光接続箱本体の底面に取り付けられた、かつ、前記接続部を固定するスリーブホルダを固定するためのスリーブホルダ固定部材（１４）と、
前記光接続箱本体の底面に取り付けられた第１乃至第４の固定シート（２０1〜２０4；４０1〜４０4）と、
を具備し、
前記第２のケーブルガイド（１２2）が、前記光接続箱を直立させたときに前記光接続箱本体の底面の上中央部に取り付けられており、
前記第１および第３のケーブルガイド（１２1，１２3）が、前記光接続箱を直立させたときに前記第２のケーブルガイドの左右にそれぞれ取り付けられているとともに、前記第１および第２の光ファイバーの余長部が外れることを防止するための第１および第２の爪（１３1，１３2）が前記楕円の外側に向かって形成されており、
前記第５のケーブルガイド（１２5）が、前記光接続箱を直立させたときに前記光接続箱本体の底面の下中央部に取り付けられており、
前記第４および第６のケーブルガイド（１２4，１２6）が、前記光接続箱を直立させたときに前記第５のケーブルガイドの左右にそれぞれ取り付けられているとともに、前記第１および第２の光ファイバーの余長部が外れることを防止するための第３および第４の爪（１３3，１３4）が前記楕円の外側に向かって形成されており、
前記第１乃至第４の固定シートがそれぞれ、
長方形の平面形状のシート本体（２１1〜２１4；４１1〜４１4）と、
該シート本体の表面に設けられた、かつ、前記第１および第２の光ファイバーの余長部を固定するための複数本のカギ部（２２1〜２２4；４２1〜４２4）とを備え、
前記第１の固定シート（２０1；４０1）が、前記第１および第６のケーブルガイド間の前記第１および第２の光ファイバの余長部が収容される個所に取り付けられており、
前記第２の固定シート（２０2；４０2）が、前記第１および第３のケーブルガイド間の前記第１および第２の光ファイバーの余長部が収容される箇所に取り付けられており、
前記第３の固定シート（２０3；４０3）が、前記第３および第４のケーブルガイド間の前記スリーブホルダ固定部材を挟んで前記第１および第２の光ファイバの余長部が収容される個所と反対側の前記第２の光ファイバーの余長部が収容される箇所に取り付けられており、
前記第４の固定シート（２０4；４０4）が、前記第４および第６のケーブルガイド間の前記第１および第２の光ファイバーの余長部が収容される箇所に取り付けられており、
前記第１の光ファイバーの余長部を前記第１、第２および第４の固定シートの順で固定しながら前記第１乃至第６のケーブルガイドの順で巻き付けていき、また、前記第２の光ファイバーの余長部を前記第３の固定シートで固定したのちに前記第２、第１および第４の固定シートの順で固定しながら前記第３、第２、第１、第６、第５および第４のケーブルガイドの順で巻き付けていくようにされている、
ことを特徴とする、光接続箱。
【請求項２】
前記光接続箱本体の底面の中央部に取り付けられた、かつ、前記第１乃至第４の固定シートと同じ構成の第５の固定シートをさらに具備することを特徴とする、請求項１記載の光接続箱。
【請求項３】
前記カギ部（２２1〜２２4）が、先端部が半円状に曲げられた棒状の形状を有することを特徴とする、請求項１または２記載の光接続箱。
【請求項４】
前記カギ部（４２1〜４２4）が、Ｔ字の棒状の形状を有することを特徴とする、請求項１または２記載の光接続箱。
【請求項５】
前記シート本体（２１1〜２１4；４１1〜４１4）および前記カギ部（２２1〜２２4；４２1〜４２4）が、ナイロンまたはポリエステルから構成されていることを特徴とする、請求項１乃至４いずれかに記載の光接続箱。
【請求項６】
前記第１乃至第４の固定シートがそれぞれ、
長方形の平面形状の前記シート本体（５１1〜５１4）と、
前記複数本のカギ部の代わりに、前記シート本体の表面に設けられた、かつ、先端が丸められた円柱状の形状を有するとともにゴムから構成された、かつ、前記第１および第２の光ファイバーの余長部を固定するための複数本の円柱状部（５２1〜５２4）を備え、
前記円柱状部が、前記シート本体の長さ方向の中央部には設けられていない、
ことを特徴とする、請求項１記載の光接続箱。
【請求項７】
前記第１乃至第５の固定シートがそれぞれ、
長方形の平面形状の前記シート本体（５１1〜５１4）と、
前記複数本のカギ部の代わりに、前記シート本体の表面に設けられた、かつ、先端が丸められた円柱状の形状を有するとともにゴムから構成された、かつ、前記第１および第２の光ファイバーの余長部を固定するための複数本の円柱状部（５２1〜５２4）を備え、
前記円柱状部が、前記シート本体の長さ方向の中央部には設けられていない、
ことを特徴とする、請求項２記載の光接続箱。
【発明の詳細な説明】
【技術分野】
【０００１】
本発明は、光接続箱に関し、特に、電柱などから宅内に引き込まれた光ファイバーと宅内の光ファイバーとを接続する接続部とこの２本の光ファイバーの余長部とを収容するのに好適な光接続箱に関する。
【背景技術】
【０００２】
幹線の光ファイバーケーブルから加入者宅へ光ファイバー（光ドロップケーブル）を引き込む際には、光接続箱において、この引き込まれた光ファイバーと宅内の光ファイバーとの接続部をスリーブホルダーに固定したのち、この２本の光ファイバーの余長部を円状の余長収容部に収めている。
【０００３】
なお、下記の特許文献１には、小型化と余長収納の作業性向上を達成できるとともに簡単かつ確実に規定の曲率半径を確保した余長処理ができるようにするために、有底筒状の光ファイバートレイ本体と、光ファイバートレイ本体内に光ファイバーが巻き付けられて収容されるように設けられ、複数の円弧状の突出部材が円形状に配設された光ファイバー配線ガイドと、光ファイバー配線ガイドを直径方向に移動するように設けられた可動装置とを具備する光ファイバートレイが開示されている。
【特許文献１】特開２００６−２３４５１号公報
【発明の開示】
【発明が解決しようとする課題】
【０００４】
しかしながら、上述したような光接続箱においては、光接続箱の余長収容部の爪に光ファイバーの余長部を引っ掛けながら作業を行うことになるが、光接続箱が直立しておりかつ光ファイバーが柔らかくその取扱いを慎重に行う必要がある上に光ファイバーが爪から外れ易いために、作業者は光ファイバーの余長部を粘着テープで仮止めしながらこの作業を行うなど、手間がかかるという問題があった。
また、光接続箱の余長収容部のケーブルガイドの大きさは決まっているため、光ファイバーの余長部の長さによっては半端が生じ、この半端な部分を吸収するために、光ファイバーの余長部をケーブルガイドの中途を通すなどして余長調整をする必要があるという問題があった。
【０００５】
本発明の目的は、光ファイバーの余長収容作業を効率的に行うことができる光接続箱を提供することにある。
【課題を解決するための手段】
【０００６】
本発明の光接続箱は、宅外から宅内に引き込まれた第１の光ファイバー（１1）および前記宅内に配線された第２の光ファイバー（１2）の接続部と、該第１および第２の光ファイバーの余長部とを収容するための直立させた光接続箱（１０）であって、上面が開口された直方体形状の光接続箱本体（１１）と、該光接続箱本体の底面に取り付けられた、かつ、前記第１および第２の光ファイバーの余長部を楕円状に巻き付けて収容するための第１乃至第６のケーブルガイド（１２1〜１２6）と、前記光接続箱本体の底面に取り付けられた、かつ、前記接続部を固定するスリーブホルダを固定するためのスリーブホルダ固定部材（１４）と、前記光接続箱本体の底面に取り付けられた第１乃至第４の固定シート（２０1〜２０4；４０1〜４０4）とを具備し、前記第２のケーブルガイド（１２2）が、前記光接続箱を直立させたときに前記光接続箱本体の底面の上中央部に取り付けられており、前記第１および第３のケーブルガイド（１２1，１２3）が、前記光接続箱を直立させたときに前記第２のケーブルガイドの左右にそれぞれ取り付けられているとともに、前記第１および第２の光ファイバーの余長部が外れることを防止するための第１および第２の爪（１３1，１３2）が前記楕円の外側に向かって形成されており、前記第５のケーブルガイド（１２5）が、前記光接続箱を直立させたときに前記光接続箱本体の底面の下中央部に取り付けられており、前記第４および第６のケーブルガイド（１２4，１２6）が、前記光接続箱を直立させたときに前記第５のケーブルガイドの左右にそれぞれ取り付けられているとともに、前記第１および第２の光ファイバーの余長部が外れることを防止するための第３および第４の爪（１３3，１３4）が前記楕円の外側に向かって形成されており、前記第１乃至第４の固定シートがそれぞれ、長方形の平面形状のシート本体（２１1〜２１4；４１1〜４１4）と、該シート本体の表面に設けられた、かつ、前記第１および第２の光ファイバーの余長部を固定するための複数本のカギ部（２２1〜２２4；４２1〜４２4）とを備え、前記第１の固定シート（２０1；４０1）が、前記第１および第６のケーブルガイド間の前記第１および第２の光ファイバの余長部が収容される個所に取り付けられており、前記第２の固定シート（２０2；４０2）が、前記第１および第３のケーブルガイド間の前記第１および第２の光ファイバーの余長部が収容される箇所に取り付けられており、前記第３の固定シート（２０3；４０3）が、前記第３および第４のケーブルガイド間の前記スリーブホルダ固定部材を挟んで前記第１および第２の光ファイバの余長部が収容される個所と反対側の前記第２の光ファイバーの余長部が収容される箇所に取り付けられており、前記第４の固定シート（２０4；４０4）が、前記第４および第６のケーブルガイド間の前記第１および第２の光ファイバーの余長部が収容される箇所に取り付けられており、前記第１の光ファイバーの余長部を前記第１、第２および第４の固定シートの順で固定しながら前記第１乃至第６のケーブルガイドの順で巻き付けていき、また、前記第２の光ファイバーの余長部を前記第３の固定シートで固定したのちに前記第２、第１および第４の固定シートの順で固定しながら��記第３、第２、第１、第６、第５および第４のケーブルガイドの順で巻き付けていくようにされていることを特徴とする。
ここで、前記光接続箱本体の底面の中央部に取り付けられた、かつ、前記第１乃至第４の固定シートと同じ構成の第５の固定シートをさらに具備してもよい。
前記カギ部（２２1〜２２4）が、先端部が半円状に曲げられた棒状の形状を有してもよい。
前記カギ部（４２1〜４２4）が、Ｔ字の棒状の形状を有してもよい。
前記シート本体（２１1〜２１4；４１1〜４１4）および前記カギ部（２２1〜２２4；４２1〜４２4）が、ナイロンまたはポリエステルから構成されていてもよい。
前記第１乃至第４の固定シートがそれぞれ、長方形の平面形状の前記シート本体（５１1〜５１4）と、前記複数本のカギ部の代わりに、前記シート本体の表面に設けられた、かつ、先端が丸められた円柱状の形状を有するとともにゴムから構成された、かつ、前記第１および第２の光ファイバーの余長部を固定するための複数本の円柱状部（５２1〜５２4）を備え、前記円柱状部が、前記シート本体の長さ方向の中央部には設けられていなくてもよい。
前記第１乃至第５の固定シートがそれぞれ、長方形の平面形状の前記シート本体（５１1〜５１4）と、前記複数本のカギ部の代わりに、前記シート本体の表面に設けられた、かつ、先端が丸められた円柱状の形状を有するとともにゴムから構成された、かつ、前記第１および第２の光ファイバーの余長部を固定するための複数本の円柱状部（５２1〜５２4）を備え、前記円柱状部が、前記シート本体の長さ方向の中央部には設けられていなくてもよい。
【発明の効果】
【０００８】
本発明の光接続箱は、固定シートまたは光ファイバー固定部によって第１および第２の光ファイバーの余長部を固定するため、光接続箱が直立していても光ファイバーの余長収容作業を効率的に行うことができるという効果を奏する。
【発明を実施するための最良の形態】
【０００９】
上記の目的を、シート本体とシート本体の表面に設けられたかつ第１および第２の光ファイバーの余長部を固定するための複数本のカギ部とを備える固定シートを光接続箱本体の底面またはケーブルガイドの垂直面に取り付けることにより実現した。
【実施例１】
【００１０】
以下、本発明の光接続箱の実施例について、図面を参照して説明する。
本発明の第１の実施例による光接続箱１０は、電柱などから宅内に引き込まれた第１の光ファイバー１1と宅内に配線された第２の光ファイバー１2とを接続した接続部をスリーブホルダー（図１では、スリーブホルダー用カバー２によって保護されている。）に固定したのちに第１および第２の光ファイバー１1，１2の余長部を収容するためのものであり、図１に示すように、上面が開口された直方体形状の光接続箱本体１１と、光接続箱本体１１の底面に取り付けられた第１乃至第６のケーブルガイド１２1〜１２6と、光接続箱本体１１の底面に取り付けられた第１乃至第４の固定シート２０1〜２０4と、スリーブホルダー固定部材１４と、光接続箱本体１１をカバーするための蓋（不図示）とを具備する。
【００１１】
ここで、第１乃至第６のケーブルガイド１２1〜１２6は従来の光接続箱にも備えられているものであり、第１および第２の光ファイバー１1，１2の余長部を楕円状に巻き付けて収容するために、光接続箱本体１１の底面の図示上下に３個ずつ配置されている。
また、第１，第３，第４および第６のケーブルガイド１２1，１２3，１２4，１２6の上端には、第１および第２の光ファイバー１1，１2の余長部が外れることを防止するための第１乃至第４の爪１３1〜１３4がそれぞれ形成されている。
【００１２】
スリーブホルダー固定部材１４も、従来の光接続箱にも備えられているものであり、スリーブホルダー用カバー２によってカバーされたスリーブホルダーを両側から挟むようにして固定するように、第３および第４のケーブルガイド１２3，１２4間の第１および第２の光ファイバー１1，１2の余長部が収容される箇所よりも外側に取り付けられている。
【００１３】
第１の固定シート２０1は、第１および第６のケーブルガイド１２1，１２6間の第１および第２の光ファイバー１1，１2の余長部が収容される箇所（光接続箱本体１１の図示左側）に取り付けられている。第２の固定シート２０2は、第１および第３のケーブルガイド１２1，１２3間の第１および第２の光ファイバー１1，１2の余長部が収容される箇所（光接続箱本体１１の図示上側）に取り付けられている。第３の固定シート２０3は、第３および第４のケーブルガイド１２3，１２4間の第２の光ファイバー１2の余長部が収容される箇所（光接続箱本体１１の図示右側）に取り付けられている。第４の固定シート２０4は、第４および第６のケーブルガイド１２4，１２6間の第１および第２の光ファイバー１1，１2の余長部が収容される箇所（光接続箱本体１１の図示下側）に取り付けられている。
【００１４】
第１の固定シート２０1は、図２（ａ）に示すように、長方形の平面形状を有し、ナイロンまたはポリエステルの布から構成された第１のシート本体２１1と、第１のシート本体２１1の表面に２〜３ｍｍの間隔で格子状に取り付けられた複数本の第１のカギ部２２1とを備える。また、第１のシート本体２１1の底面には、図２（ｂ）に示すように、第１の固定シート２０1を光接続箱本体１１の底面に取り付けるための接着剤２３が塗布されている。
【００１５】
第１のカギ部２２1は、第１および第２の光ファイバー１1，１2の余長部を第１の固定シート２０1に押し込むと第１のシート本体２１1から外れないようにするために、先端部が半円状に曲げられた棒状の形状を有する。また、第１のカギ部２２1の高さは３〜５ｍｍである。さらに、第１のカギ部２２1は、第１および第２の光ファイバー１1，１2の余長部を傷めないように、ナイロンやポリエステルなどの柔らかい材料で構成されている。
【００１６】
第２乃至第４の固定シート２０2〜２０4は、第１の固定シート２０1と同様に構成されている。
【００１７】
以上のように構成された光接続箱１０では、作業者は、第１の光ファイバー１1と第２の光ファイバー１2とを接続し、この接続部をスリーブホルダーに固定し、スリーブホルダーにスリーブホルダー用カバー２を被せたのちに、スリーブホルダー用カバー２をスリーブホルダー固定部材１４に押し込んで固定する。
その後、作業者は、第１および第２の光ファイバー１1，１2の余長部を第１乃至第４の固定シート２０1〜２０4に押し込みながら第１乃至第６のケーブルガイド１２1〜１２6に巻き付けていく。このとき、第１および第２の光ファイバー１1，１2の余長部は第１乃至第４の固定シート２０1〜２０4の第１乃至第４のカギ部２２1〜２２4によって第１乃至第４の固定シート２０1〜２０4から外れないように固定されるため（図２（ｂ）参照）、光接続箱１０が直立していても第１および第２の光ファイバー１1，１2の余長部が第１乃至第６のケーブルガイド１２1〜１２6から外れないように第１および第２の光ファイバー１1，１2の余長部を巻き付けていくことができる。
【００１８】
以上の説明においては、第１乃至第４の固定シート２０1〜２０4を光接続箱本体１１の底面の図１図示上下左右に１個ずつ取り付けたが、光接続箱本体１１の中央部に第５の固定シート２０5（不図示）を取り付けてもよい。これにより、第１および第２の光ファイバー１1，１2の余長部を光接続箱本体１１の図１図示左下から右上などのように光接続箱本体１１の中心部を通らせて余長調整をする場合に、第１および第２の光ファイバー１1，１2の余長部の余長調整する部分を第５の固定シート２０5によって固定することができる。
また、第１乃至第４の固定シート２０1〜２０4を第１乃至第６のケーブルガイド１２1〜１２6に沿って光接続箱本体１１の底面に取り付けたが、第１乃至第４の固定シート２０1〜２０4を第１乃至第６のケーブルガイド１２1〜１２6の垂直面に沿って取り付けてもよい。
【００１９】
さらに、先端部が半円状に曲げられた棒状の形状を有する第１乃至第４のカギ部２２1〜２２4を備えた第１乃至第４の固定シート２０1〜２０4を用いたが、図３に第１の固定シート４０1について示すように、Ｔ字の棒状の形状を有する第１乃至第４のカギ部４２1〜４２4を備えた第１乃至第４の固定シート４０1〜４０4を用いてもよい。
【００２０】
さらにまた、図４（ａ）〜（ｃ）に第１の固定シート５０1について示すように、先端が丸められた円柱状の形状を有する第１乃至第４の円柱状部５２1〜５２4（以下、「第１乃至第４のカギ部５２1〜５２4」と称する。）を備えた第１乃至第４の固定シート５０1〜５０4を用いてもよい。
この場合には、第１乃至第４のカギ部５２1〜５２4の高さは１０ｍｍ程度とし、第１乃至第４のカギ部５２1〜５２4の材質はゴムとするのが好ましい。
また、図４（ｂ）に第１のカギ部５２1について示すように、第１乃至第４の固定シート５０1〜５０4の長さ方向の中央部には第１乃至第４のカギ部５２1〜５２4を設けずに、第１乃至第４の固定シート５０1〜５０4の長さ方向の両端部にのみ第１乃至第４のカギ部５２1〜５２4を設けるのが好ましい。これにより、作業者は、第１乃至第４の固定シート５０1〜５０4の長さ方向の中央部に手の指を入れて第１および第２の光ファイバー１1，１2の余長部を容易に押し込んだり取り外したりすることができる。
【実施例２】
【００２１】
次に、本発明の第２の実施例による光接続箱１１０について、図５を参照して説明する。
本実施例による光接続箱１１０は、図１に示した第１乃至第６のケーブルガイド１２1〜１２6を不要にするために、図５（ａ）に示すように、円環状の形状を有しかつ第１乃至第８の溝１２４1〜１２４8が中心から放射状に形成されたシート本体１２１と、図２（ｂ）に示した第１のカギ部２２1と同様に構成された多数本のカギ部１２２とを備えた固定シート１２０を具備する。
【００２２】
ここで、カギ部１２２は、シート本体１２１の表面の第１乃至第８の溝１２４1〜１２４8の隣り合う２つの溝の間の部分に同心円状に並べて設けられている。また、シート本体１２１の裏面には、シート本体１２１を光接続箱本体１１１の底面に設けられた固定シート取付台１１５（図５（ｂ）参照）に取り付けるための接着剤（不図示）が塗布されている。
【００２３】
固定シート取付台１１５は、光接続箱１１０を直立させたときに固定シート１２０が光接続箱１１０の底面側に傾くように、光接続箱本体１１１の底面に設けられている。また、固定シート本体１２１は、固定シート取付台１１５の斜面に取り付けられる。
【００２４】
以上のように構成された本実施例による光接続箱１１０では、作業者は、第１の光ファイバー１1と第２の光ファイバー１2とを接続し、この接続部をスリーブホルダーに固定し、スリーブホルダーにスリーブホルダー用カバー２（図１参照）を被せたのちに、スリーブホルダー用カバー２をスリーブホルダー固定部材１４に押し込んで固定する（図１参照）。
その後、作業者は、第１および第２の光ファイバー１1，１2の余長部を巻きながら固定シート１２０に押し込んで、固定シート１２０のカギ部１２２によって固定シート１２０から外れないように固定していく。
なお、カギ部１２２はシート本体１２１に同心円状に設けられているため、作業者は、第１および第２の光ファイバー１1，１2の余長部の長さに対応して第１および第２の光ファイバー１1，１2の余長部を巻くことにより、余長調整をする必要がなくなる。
また、固定シート１２０は固定シート取付台１１５の斜面に取り付けられているため、光接続箱１１０が直立していても第１および第２の光ファイバー１1，１2の余長部が固定シート１２０からずれ落ちることはない。
【００２５】
なお、固定シート１２０に巻かれた第１および第２の光ファイバー１1，１2の余長部を固定シート１２０から取り外すときには、作業者は、第１乃至第８の溝１２４1〜１２４8に手の指を入れることにより、第１および第２の光ファイバー１1，１2の余長部を固定シート１２０から容易に取り外すことができる。
【００２６】
本実施例による光接続箱１１０においても、先端部が半円状に曲げられたカギ部１２２の代わりに、図３に示したようなＴ字状のカギ部または図４（ａ）〜（ｃ）に示したような先端が丸められた円柱状のカギ部を用いてもよい。
また、第１および第２の光ファイバー１1，１2の余長部を傷つけないようにするために、第１および第２の光ファイバー１1，１2の余長部を巻くときの最小半径の目安となるマークをシート本体１２１に付けておいてもよい。
【実施例３】
【００２７】
次に、本発明の第３の実施例による光接続箱について、図６を参照して説明する。
本実施例による光接続箱は、図１に示した第１乃至第６のケーブルガイド１２1〜１２6を不要にするために、図６（ａ）に示すように、Ｌ字状の平面形状を有する固定部２１１と、上面が円弧状にされた第１の直方体部材および第１の直方体部材の上面に設けられた第２の直方体部材からなる受け部２１２とを備える光ファイバー固定部２１０を具備する。
ここで、固定部２１１および受け部２１２はスポンジから構成されている。固定部２１１および受け部２１２の裏面には、固定部２１１および受け部２１２を光接続箱の光接続箱本体に取り付けるための接着剤（不図示）が塗布されている。
固定部２１１の受け部２１２と対向する部分（以下、「第１の部分」と称する。）には、開口部２２１が形成されており、また、固定部２１１の図示左側の部分（以下、「第２の部分」と称する。）には、突出部２２２が形成されている。
【００２８】
固定部２１１には、図６（ｂ）に示すように、第１および第２の光ファイバー１1，１2の余長部分を押し込んで固定するための複数本の切れ目２２３が形成されている。
すなわち、固定部２１１の第２の部分に形成された突出部２２２には、光接続箱に導入された第１の光ファイバー１1の余長部分を押し込んで固定するための１本の切れ目２２３と、受け部２１２から固定部２１１の開口部２２１に向かって巻かれる第１および第２の光ファイバー１1，１2の余長部分を押し込んで固定するための１本の切れ目２２３とが形成されている。
また、固定部２１１の第１の部分には、開口部２２１と突出部２２２との間の第１および第２の光ファイバー１1，１2の余長部分を押し込んで固定するための１本の切れ目２２３と、余長調整のために開口部２２１と固定部２１１の第１の部分の外側との間で巻かれる第１および第２の光ファイバー１1，１2の余長部分を押し込んで固定するための６本の切れ目２２３と、開口部２２１から受け部２１２に向かって巻かれる第１および第２の光ファイバー１1，１2の余長部分および光接続箱に導入された第２の光ファイバー１2の余長部分を押し込んで固定するための１本の切れ目２２３とが形成されている。
【００２９】
以上のように構成された本実施例による光接続箱では、作業者は、第１の光ファイバー１1と第２の光ファイバー１2とを接続し、この接続部をスリーブホルダーに固定し、スリーブホルダーにスリーブホルダー用カバー２を被せたのちに、スリーブホルダー用カバー２をスリーブホルダー固定部材１４に押し込んで固定する（図１参照）。
その後、作業者は、第１および第２の光ファイバー１1，１2の余長部を巻きながら固定部２１１の切れ目２２３に押し込んでいく。このとき、第１および第２の光ファイバー１1，１2の余長部は、固定部２２１の切れ目２２３によって固定部２２１から外れないように固定される。また、巻かれた第１および第２の光ファイバー１1，１2の余長部の下方部分（図６図示下方の部分）は受け部２１２の第１の直方体部材の上面と第２の直方体部材の側面とによって支持されるため、光接続箱が直立していても第１および第２の光ファイバー１1，１2の余長部の下方部分が垂れ下がることはない。
【００３０】
なお、第１および第２の光ファイバー１1，１2の余長部を固定部２１１から取り外すときには、作業者は、固定部２１１の突出部２２２の上面および下面に２本の手の指を入れたり固定部２１１の開口部２２１に手の指を入れたりすることにより、容易に取り外すことができる。
【実施例４】
【００３１】
次に、本発明の第４の実施例による光接続箱について、図７を参照して説明する。
本実施例による光接続箱は、図１に示した第１乃至第６のケーブルガイド１２1〜１２6を不要にするために、図７（ａ）に示すように、Ｃ字状の平面形状を有する本体３１１からなる光ファイバー固定部３１０を具備する。
ここで、本体３１１はスポンジから構成されている。また、本体３１１の裏面には、本体３１１を光接続箱の光接続箱本体の底面に取り付けるための接着剤（不図示）が塗布されている。
【００３２】
図７（ｂ）に示すように、本体３１１の内部には、第１および第２の光ファイバー１1，１2の余長部分を収容するための貫通孔３２２が形成されている。
また、本体３１１の上面には、第１および第２の光ファイバー１1，１2の余長部分を押し込んで貫通孔３２２に収容するための切れ目３２３が形成されている。
さらに、図７（ａ）に示すように、本体３１１には、光接続箱に導入された第１の光ファイバー１1を切れ目３２３から押し込んで貫通孔３２２に収容するための第１の切欠き部３２１1と、小さく巻かれて余長調整された第１および第２の光ファイバー１1，１2の余長部分を切れ目３２３から押し込んで貫通孔３２２に収容するための第２の切欠き部３２１2とが形成されている。
【００３３】
以上のように構成された本実施例による光接続箱では、作業者は、第１の光ファイバー１1と第２の光ファイバー１2とを接続し、この接続部をスリーブホルダーに固定し、スリーブホルダーにスリーブホルダー用カバー２を被せたのちに、スリーブホルダー用カバー２をスリーブホルダー固定部材１４に押し込んで固定する（図１参照）。
その後、作業者は、第１および第２の光ファイバー１1，１2の余長部を巻きながらファイバー固定部３１０の本体３１１の切れ目２２３に押し込んで貫通孔３２２に収容していく。これにより、第１および第２の光ファイバー１1，１2の余長部は、貫通孔３２２によって本体３１１から外れないように固定される。
また、余長調整する必要がある場合には、作業者は、図７（ａ）に示すように、第１および第２の光ファイバー１1，１2の余長部分を小さく巻いて、本体３１１の第２の切欠き３２１2と本体３１１の図示右上端との間の切れ目３２３から押し込んで貫通孔３２２に収容する。
【図面の簡単な説明】
【００３４】
【図１】本発明の第１の実施例による光接続箱１０の構成を示す図である。
【図２】図１に示した第１の固定シート２０1の構成を示す図である。
【図３】Ｔ字状の第１のカギ部４２1を有する第１の固定シート４０1の構成を示す図である。
【図４】先端が丸められた円柱状の第１のカギ部５２1を有する第１の固定シート５０1の構成を示す図である。
【図５】本発明の第２の実施例による光接続箱１１０の構成を示す図である。
【図６】本発明の第３の実施例による光接続箱の構成を示す図である。
【図７】本発明の第４の実施例による光接続箱の構成を示す図である。
【符号の説明】
【００３５】
１1，１2  第１および第２の光ファイバー
２  スリーブホルダー用カバー
１０，１１０  光接続箱
１１，１１１  光接続箱本体
１２1〜１２6  第１乃至第６のケーブルガイド
１３1〜１３4  第１乃至第４の爪
１４  スリーブホルダー固定部材
２０1〜２０4，４０1〜４０4，５０1〜５０4  第１乃至第４の固定シート
２１1〜２１4，４１1〜４１4，５１1〜５１4  第１乃至第４のシート本体
２２1〜２２4，４２1〜４２4，５２1〜５２4  第１乃至第４のカギ部
２３，４３，５３  接着剤
１１５  固定シート取付台
１２０  固定シート
１２１  シート本体
１２２  カギ部
１２４1〜１２４8  第１乃至第８の溝
２１０，３１０  光ファイバー固定部
２１１  固定部
２１２  受け部
２２１  開口部
２２２  突出部
２２３，３２３  切れ目
３１１  本体
３２１1，３２１2  第１および第２の切欠き部
３２２  貫通孔
【図１】
0004570583.tif 000002
【図２】
0004570583.tif 000003
【図３】
0004570583.tif 000004
【図４】
0004570583.tif 000005
【図５】
0004570583.tif 000006
【図６】
0004570583.tif 000007
【図７】
0004570583.tif 000008